(57)【特許請求の範囲】
【請求項１】
河川における過去の洪水情報が記憶された洪水履歴データベースと、
前記河川を含む地図情報に基づいて地図画像を画面上に表示する表示制御手段と、
前記表示された地図画像上における所望地点の指定を受けると、当該地点における前記河川の川幅に基づき、前記所定距離範囲を決定する距離範囲決定手段と、
前記表示された地図画像上における所望地点の指定を受けて、当該指定された地点から前記距離範囲決定手段により決定された所定距離範囲の地点に関する洪水情報を前記洪水履歴データベースから求めて、この求められた洪水情報が複数ある場合に、これらの洪水情報を前記画面上に表示する履歴表示制御手段と
を具備することを特徴とする防災情報システム。
【請求項２】
前記履歴表示制御手段は、洪水情報が複数ある場合には指定された所望地点から近いものから順に前記洪水情報を前記画面上に表示することを特徴とする請求項１に記載の防災情報システム。
【請求項３】
前記洪水情報は堤防の決壊地点に関する情報を含み、表示の場合には前記堤防の決壊地点に関する情報に基づき指定された所望地点から近いものから順に前記洪水情報を前記画面上に表示することを特徴とする請求項２に記載の防災情報システム。
【請求項４】
前記洪水情報は浸水戸数に関する情報を含み、表示の場合には前記浸水戸数に関する情報に基づき浸水戸数の多いものから順に前記洪水情報を前記画面上に表示することを特徴とする請求項２に記載の防災情報システム。
【請求項５】
河川における洪水予測情報を提供する洪水予測提供手段と、
前記河川を含む地図情報に基づいて地図画像を画面上に表示する表示制御手段と、
前記表示された地図画像上における所望地点の指定を受けると、当該地点における前記河川の川幅に基づき、前記所定距離範囲を決定する距離範囲決定手段と、
前記表示された地図画像上における所望地点の指定を受けて、当該指定された地点から前記距離範囲決定手段により決定された所定距離範囲の地点に関する洪水予測情報の提供を前記洪水予測提供手段から得て、この得られた洪水予測情報が複数ある場合に、これらの洪水予測情報を前記画面上に表示する予測表示制御手段と
を具備することを特徴とする防災情報システム。
【請求項６】
前記予測表示制御手段は、洪水予測情報が複数ある場合には指定された所望地点から近いものから順に前記洪水予測情報を前記画面上に表示することを特徴とする請求項５に記載の防災情報システム。
【請求項７】
前記洪水予測情報は堤防の決壊地点に関する情報を含み、表示の場合には前記堤防の決壊地点に関する情報に基づき指定された所望地点から近いものから順に前記洪水予測情報を前記画面上に表示することを特徴とする請求項６に記載の防災情報システム。
【請求項８】
前記洪水予測情報は浸水戸数に関する情報を含み、表示の場合には前記浸水戸数に関する情報に基づき浸水戸数の多いものから順に前記洪水予測情報を前記画面上に表示することを特徴とする請求項６に記載の防災情報システム。
【請求項９】
河川における過去の洪水情報が記憶された洪水履歴データベースにアクセスするコンピュータに適用される防災情報提供プログラムであって、
前記河川を含む地図情報に基づいて地図画像を画面上に表示する表示制御ステップと、
前記表示された地図画像上における所望地点の指定を受けると、当該地点における前記河川の川幅に基づき、前記所定距離範囲を決定する距離範囲決定ステップと、
前記表示された地図画像上における所望地点の指定を受けて、当該指定された地点から前記距離範囲決定ステップにおいて決定された所定距離範囲の地点における洪水情報を前記洪水履歴データベースから求めて、この求められた洪水情報が複数ある場合に、これらの洪水情報を前記画面上に表示する履歴表示制御ステップと
を具備することを特徴とする防災情報提供プログラム。
【請求項１０】
前記履歴表示制御ステップでは、洪水情報が複数ある場合には指定された所望地点から近いものから順に前記洪水情報を前記画面上に表示することを特徴とする請求項９に記載の防災情報提供プログラム。
【請求項１１】
前記洪水情報は堤防の決壊地点に関する情報を含み、表示の場合には、前記堤防の決壊地点に関する情報に基づき指定された所望地点から近いものから順に前記洪水情報を前記画面上に表示することを特徴とする請求項１０記載の防災情報提供プログラム。
【請求項１２】
前記洪水情報は浸水戸数に関する情報を含み、表示の場合には、前記浸水戸数に関する情報に基づき浸水戸数の多いものから順に前記洪水情報を前記画面上に表示することを特徴とする請求項１０記載の防災情報提供プログラム。
【請求項１３】
河川における洪水予測情報を提供する洪水予測提供システムにアクセスするコンピュータに適用される防災情報提供プログラムであって、
前記河川を含む地図情報に基づいて地図画像を画面上に表示する表示制御ステップと、
前記表示された地図画像上における所望地点の指定を受けると、当該地点における前記河川の川幅に基づき、前記所定距離範囲を決定する距離範囲決定ステップと、
前記表示された地図画像上における所望地点の指定を受けて、当該指定された地点から前記距離範囲決定ステップにおいて決定された所定距離範囲の地点における洪水予測情報の提供を前記洪水予測提供システムから得て、この得られた洪水予測情報が複数ある場合に、これらの洪水予測情報を前記画面上に表示する予測表示制御ステップと
を具備することを特徴とする防災情報提供プログラム。
【請求項１４】
前記予測表示制御ステップでは、洪水予測情報が複数ある場合には指定された所望地点から近いものから順に前記洪水予測情報を前記画面上に表示することを特徴とする請求項１３に記載の防災情報提供プログラム。
【請求項１５】
前記洪水予測情報は堤防の決壊地点に関する情報を含み、表示の場合には、前記堤防の決壊地点に関する情報に基づき指定された所望地点から近いものから順に前記洪水予測情報を前記画面上に表示することを特徴とする請求項１４記載の防災情報提供プログラム。
【請求項１６】
前記洪水予測情報は浸水戸数に関する情報を含み、表示の場合には、前記浸水戸数に関する情報に基づき浸水戸数の多いものから順に前記洪水予測情報を前記画面上に表示することを特徴とする請求項１４記載の防災情報提供プログラム。
【請求項１７】
河川における過去の洪水情報と前記河川を含む地図情報を提供するサイトを備えるネットワークに設けられるサーバコンピュータから、クライアントコンピュータへダウンロードされ前記クライアントコンピュータにより実行される防災情報提供プログラムにおいて、
前記サイトへアクセスして河川を含む地図情報を画面上に表示する表示制御ステップと、
前記表示された地図画像上における所望地点の指定を受けると、当該地点における前記河川の川幅に基づき、前記所定距離範囲を決定する距離範囲決定ステップと、
前記表示された地図画像上における所望地点の指定を受けて、当該指定された地点から前記距離範囲決定ステップにおいて決定された所定距離範囲の地点における洪水情報について前記サイトから提供を受け、提供された洪水情報が複数ある場合に、これらの洪水情報を前記画面上に表示する履歴表示制御ステップと
を具備することを特徴とする防災情報提供プログラム。
【請求項１８】
前記履歴表示制御ステップでは、洪水情報が複数ある場合には指定された所望地点から近いものから順に前記洪水情報を前記画面上に表示することを特徴とする請求項１７に記載の防災情報提供プログラム。
【請求項１９】
前記洪水情報は堤防の決壊地点に関する情報を含み、表示の場合には、前記堤防の決壊地点に関する情報に基づき指定された所望地点から近いものから順に前記洪水情報を前記画面上に表示することを特徴とする請求項１８記載の防災情報提供プログラム。
【請求項２０】
前記洪水情報は浸水戸数に関する情報を含み、表示の場合には、前記浸水戸数に関する情報に基づき浸水戸数の多いものから順に前記洪水情報を前記画面上に表示することを特徴とする請求項１８記載の防災情報提供プログラム。
【請求項２１】
河川における洪水予測情報と前記河川を含む地図情報を提供するサイトを備えるネットワークに設けられるサーバコンピュータから、クライアントコンピュータへダウンロードされ前記クライアントコンピュータにより実行される防災情報提供プログラムにおいて、
前記サイトへアクセスして河川を含む地図情報を画面上に表示する表示制御ステップと、
前記表示された地図画像上における所望地点の指定を受けると、当該地点における前記河川の川幅に基づき、前記所定距離範囲を決定する距離範囲決定ステップと、
前記表示された地図画像上における所望地点の指定を受けて、当該指定された地点から前記距離範囲決定ステップにおいて決定された所定距離範囲の地点における洪水予測情報の提供を受けて、提供された洪水予測情報が複数ある場合に、これらの洪水予測情報を前記画面上に表示する予測表示制御ステップと
を具備することを特徴とする防災情報提供プログラム。
【請求項２２】
前記予測表示制御ステップでは、洪水予測情報が複数ある場合には指定された所望地点から近いものから順に前記洪水予測情報を前記画面上に表示することを特徴とする請求項２１に記載の防災情報提供プログラム。
【請求項２３】
前記洪水情報は堤防の決壊地点に関する情報を含み、表示の場合には、前記堤防の決壊地点に関する情報に基づき指定された所望地点から近いものから順に前記洪水情報を前記画面上に表示することを特徴とする請求項２２記載の防災情報提供プログラム。
【請求項２４】
前記洪水情報は浸水戸数に関する情報を含み、表示の場合には、前記浸水戸数に関する情報に基づき浸水戸数の多いものから順に前記洪水情報を前記画面上に表示することを特徴とする請求項２２記載の防災情報提供プログラム。
【発明の詳細な説明】
【０００１】
【発明の属する技術分野】
本発明は、表示された地図上の所望地点を指示するだけで、洪水被害の履歴及び予測の防災情報を提供する防災情報システム及び防災情報提供プログラムに関するものである。
【０００２】
【従来の技術】
従来において、河川に沿ったある地点の堤防決壊による洪水の発生に伴う浸水被害を予測する防災情報システムにおいて、過去の洪水被害履歴の中で類似するケースを検索する場合、大量に収集され蓄積された被害履歴情報について、それぞれ人手により情報の読取りと判断とを行うものであった。
【０００３】
【発明が解決しようとする課題】
従って、従来の防災情報システムにおいては、大量に収集され蓄積された被害履歴情報の中から、該当するケースを見つけ出すには、人手による作業のため、情報の読取りに多大の時間と手間とを要するばかりでなく、見落とし等の可能性もあり、検索結果についての正確性にも欠ける等の難点がある。
【０００４】
そこで、本発明の目的は、表示された地図において所望地点の指示を行うだけで、過去の洪水被害や予測される洪水被害の表示を行い、防災活動に有効に活用することができる防災情報システム及び防災情報提供プログラムを提供することにある。
【０００５】
【課題を解決するための手段】
請求項１に係る本発明の防災情報システムは、河川における過去の洪水情報が記憶された洪水履歴データベースと、前記河川を含む地図情報に基づいて地図画像を画面上に表示する表示制御手段と、前記表示された地図画像上における所望地点の指定を受けると、当該地点における前記河川の川幅に基づき、前記所定距離範囲を決定する距離範囲決定手段と、前記表示された地図画像上における所望地点の指定を受けて、当該指定された地点から前記距離範囲決定手段により決定された所定距離範囲の地点に関する洪水情報を前記洪水履歴データベースから求めて、この求められた洪水情報が複数ある場合に、これらの洪水情報を前記画面上に表示する履歴表示制御手段とを具備することを特徴とする。また、請求項５に係る本発明の防災情報システムは、河川における洪水予測情報を提供する洪水予測提供手段と、前記河川を含む地図情報に基づいて地図画像を画面上に表示する表示制御手段と、前記表示された地図画像上における所望地点の指定を受けると、当該地点における前記河川の川幅に基づき、前記所定距離範囲を決定する距離範囲決定手段と、前記表示された地図画像上における所望地点の指定を受けて、当該指定された地点から前記距離範囲決定手段により決定された所定距離範囲の地点に関する洪水予測情報の提供を前記洪水予測提供手段から得て、この得られた洪水予測情報が複数ある場合に、これらの洪水予測情報を前記画面上に表示する予測表示制御手段とを具備することを特徴とする。また、請求項２に係る本発明の防災情報システムでは、前記履歴表示制御手段は、洪水情報が複数ある場合には指定された所望地点から近いものから順に前記洪水情報を前記画面上に表示することを特徴とする。請求項３に係る本発明の防災情報システムでは、前記洪水情報は堤防の決壊地点に関する情報を含み、表示の場合には前記堤防の決壊地点に関する情報に基づき指定された所望地点から近いものから順に前記洪水情報を前記画面上に表示することを特徴とする。請求項４に係る本発明の防災情報システムでは、前記洪水情報は浸水戸数に関する情報を含み、表示の場合には前記浸水戸数に関する情報に基づき浸水戸数の多いものから順に前記洪水情報を前記画面上に表示することを特徴とする。また、請求項６に係る本発明の防災情報システムでは、前記履歴表示制御手段は、洪水予測情報が複数ある場合には指定された所望地点から近いものから順に前記洪水予測情報を前記画面上に表示することを特徴とする。請求項７に係る本発明の防災情報システムでは、前記洪水予測情報は堤防の決壊地点に関する情報を含み、表示の場合には前記堤防の決壊地点に関する情報に基づき指定された所望地点から近いものから順に前記洪水予測情報を前記画面上に表示することを特徴とする。請求項８に係る本発明の防災情報システムでは、前記洪水予測情報は浸水戸数に関する情報を含み、表示の場合には前記浸水戸数に関する情報に基づき浸水戸数の多いものから順に前記洪水予測情報を前記画面上に表示することを特徴とする。
【０００６】
請求項９に係る本発明の防災情報提供プログラムは、河川における過去の洪水情報が記憶された洪水履歴データベースにアクセスするコンピュータに適用される防災情報提供プログラムであって、前記河川を含む地図情報に基づいて地図画像を画面上に表示する表示制御ステップと、前記表示された地図画像上における所望地点の指定を受けると、当該地点における前記河川の川幅に基づき、前記所定距離範囲を決定する距離範囲決定ステップと、前記表示された地図画像上における所望地点の指定を受けて、当該指定された地点から前記距離範囲決定ステップにおいて決定された所定距離範囲の地点における洪水情報を前記洪水履歴データベースから求めて、この求められた洪水情報が複数ある場合に、これらの洪水情報を前記画面上に表示する履歴表示制御ステップとを具備することを特徴とする。請求項１３に係る本発明の防災情報提供プログラムは、河川における洪水予測情報を提供する洪水予測提供システムにアクセスするコンピュータに適用される防災情報提供プログラムであって、前記河川を含む地図情報に基づいて地図画像を画面上に表示する表示制御ステップと、前記表示された地図画像上における所望地点の指定を受けると、当該地点における前記河川の川幅に基づき、前記所定距離範囲を決定する距離範囲決定ステップと、前記表示された地図画像上における所望地点の指定を受けて、当該指定された地点から前記距離範囲決定ステップにおいて決定された所定距離範囲の地点における洪水予測情報の提供を前記洪水予測提供システムから得て、この得られた洪水予測情報が複数ある場合に、これらの洪水予測情報を前記画面上に表示する予測表示制御ステップとを具備することを特徴とする。また、請求項１０に係る本発明の防災情報提供プログラムは、前記履歴表示制御ステップでは、洪水情報が複数ある場合には指定された所望地点から近いものから順に前記洪水情報を前記画面上に表示することを特徴とする。請求項１１に係る本発明の防災情報提供プログラムでは、前記洪水情報は堤防の決壊地点に関する情報を含み、表示の場合には、前記堤防の決壊地点に関する情報に基づき指定された所望地点から近いものから順に前記洪水情報を前記画面上に表示することを特徴とする。請求項１２に係る本発明の防災情報提供プログラムは、前記洪水情報は浸水戸数に関する情報を含み、表示の場合には、前記浸水戸数に関する情報に基づき浸水戸数の多いものから順に前記洪水情報を前記画面上に表示することを特徴とする。請求項１４に係る本発明の防災情報提供プログラムは、前記予測表示制御ステップでは、洪水予測情報が複数ある場合には指定された所望地点から近いものから順に前記洪水予測情報を前記画面上に表示することを特徴とする。請求項１５に係る本発明の防災情報提供プログラムでは、前記洪水予測情報は堤防の決壊地点に関する情報を含み、表示の場合には、前記堤防の決壊地点に関する情報に基づき指定された所望地点から近いものから順に前記洪水予測情報を前記画面上に表示することを特徴とする。請求項１６に係る本発明の防災情報提供プログラムでは、前記洪水予測情報は浸水戸数に関する情報を含み、表示の場合には、前記浸水戸数に関する情報に基づき浸水戸数の多いものから順に前記洪水予測情報を前記画面上に表示することを特徴とする。
【０００７】
請求項１７に係る本発明の防災情報提供プログラムは、河川における過去の洪水情報と前記河川を含む地図情報を提供するサイトを備えるネットワークに設けられるサーバコンピュータから、クライアントコンピュータへダウンロードされ前記クライアントコンピュータにより実行される防災情報提供プログラムにおいて、前記サイトへアクセスして河川を含む地図情報を画面上に表示する表示制御ステップと、前記表示された地図画像上における所望地点の指定を受けると、当該地点における前記河川の川幅に基づき、前記所定距離範囲を決定する距離範囲決定ステップと、前記表示された地図画像上における所望地点の指定を受けて、当該指定された地点から前記距離範囲決定ステップにおいて決定された所定距離範囲の地点における洪水情報について前記サイトから提供を受け、提供された洪水情報が複数ある場合に、これらの洪水情報を前記画面上に表示する履歴表示制御ステップとを具備することを特徴とする。請求項２１に係る本発明の防災情報提供プログラムは、河川における洪水予測情報と前記河川を含む地図情報を提供するサイトを備えるネットワークに設けられるサーバコンピュータから、クライアントコンピュータへダウンロードされ前記クライアントコンピュータにより実行される防災情報提供プログラムにおいて、前記サイトへアクセスして河川を含む地図情報を画面上に表示する表示制御ステップと、前記表示された地図画像上における所望地点の指定を受けると、当該地点における前記河川の川幅に基づき、前記所定距離範囲を決定する距離範囲決定ステップと、前記表示された地図画像上における所望地点の指定を受けて、当該指定された地点から前記距離範囲決定ステップにおいて決定された所定距離範囲の地点における洪水予測情報の提供を受けて、提供された洪水予測情報が複数ある場合に、これらの洪水予測情報を前記画面上に表示する予測表示制御ステップとを具備することを特徴とする。請求項１８に係る本発明の防災情報提供プログラムは、前記履歴表示制御ステップでは、洪水情報が複数ある場合には指定された所望地点から近いものから順に前記洪水情報を前記画面上に表示することを特徴とする。請求項１９に記載の防災情報提供プログラムでは、前記洪水情報は堤防の決壊地点に関する情報を含み、表示の場合には、前記堤防の決壊地点に関する情報に基づき指定された所望地点から近いものから順に前記洪水情報を前記画面上に表示することを特徴とする。請求項２０記載の防災情報提供プログラムでは、前記洪水情報は浸水戸数に関する情報を含み、表示の場合には、前記浸水戸数に関する情報に基づき浸水戸数の多いものから順に前記洪水情報を前記画面上に表示することを特徴とする。請求項２２に係る本発明の防災情報提供プログラムは、前記予測表示制御ステップでは、洪水予測情報が複数ある場合には指定された所望地点から近いものから順に前記洪水予測情報を前記画面上に表示することを特徴とする。請求項２３に記載の防災情報提供プログラムでは、前記洪水情報は堤防の決壊地点に関する情報を含み、表示の場合には、前記堤防の決壊地点に関する情報に基づき指定された所望地点から近いものから順に前記洪水情報を前記画面上に表示することを特徴とする。請求項２４記載の防災情報提供プログラムでは、前記洪水情報は浸水戸数に関する情報を含み、表示の場合には、前記浸水戸数に関する情報に基づき浸水戸数の多いものから順に前記洪水情報を前記画面上に表示することを特徴とする。
【０００８】
【発明の実施の形態】
以下に、本発明に係る防災情報システム及び防災情報提供プログラムの実施例につき、添付図面を参照して説明する。
【０００９】
図１は、本発明に係る防災情報システムのシステム構成の一実施例を示す概略ブロック結線図である。すなわち、本実施例における防災情報システムは、洪水発生地情報と地図情報の統一管理システムを構成し、そのシステム構成は、過去の洪水被害履歴に関する情報を蓄積した洪水被害履歴情報蓄積管理部１０と、河川周辺地域の地図情報を蓄積した地図情報蓄積管理部１２と、前記地図情報に基づいて所要の河川周辺地域における堤防決壊仮想地点を入力指定するマウス等の手動入力手段１４および地点入力部１６と、入力指定された地点の周辺地域における過去の洪水被害履歴に関する情報を検索する洪水被害履歴検索部１８と、前記検索結果を洪水危険地域として堤防決壊仮想地点についての地図情報と被害データとを表示するディスプレイ手段を備えた表示部２０とを具備した構成からなる。
【００１０】
すなわち、前記構成における洪水被害履歴検索部１８においては、入力指定された地点の周辺地域における過去の洪水被害履歴に関する情報を、前記洪水被害履歴情報蓄積管理部１０と地図情報蓄積管理部１２とにそれぞれ蓄積された洪水被害履歴情報および地図情報とから、過去の洪水被害履歴を演算処理により迅速かつ確実に検索することができる。そして、前記表示部２０においては、前記検索部１８における検索結果を洪水危険地域として堤防決壊仮想地点についての地図情報と被害データとをそれぞれ所要のディスプレイ手段により表示することができる。
【００１１】
また、本実施例の洪水発生地情報と地図情報の統一管理システムにおいては、図１に示すように、前記地点入力部１６により指定された河川周辺地域における雨量、河川水位、河川水量等の計測値を入力する雨量等計測値入力部２２と、前記洪水被害履歴検索部１８により検索された洪水危険域において堤防決壊の危険性のある地点を判定する堤防決壊危険性地点判定部２４とを設け、前記堤防決壊危険性地点判定部２４において判定された堤防決壊の危険性のある地点を前記表示部２０にて表示するように構成することができる。なお、前記構成における雨量等計測値入力部２２は、例えば各地に配設した雨量計等の防災センサにより得られる計測値を、テレメータシステムにより収集して入力することができる。
【００１２】
次に、前記構成からなる本実施例の洪水発生地情報と地図情報の統一管理システムの制御動作につき、図２に示す制御操作プログラムのフローチャートに基づいて図１を参照しながら説明する。また、この場合の制御動作に際し、前記表示部２０における画面表示例について、それぞれ図３ないし図５を参照しながら説明する。
【００１３】
図２において、まず、マウス等の手動入力手段１４により検索入力を開始する。この場合、表示部２０のディスプレイ手段により画面表示した地図情報に対して、所要の河川における堤防の決壊仮想地点を、クリック指定することにより、地点入力部１６に所定の堤防決壊仮想地点の位置情報が入力される（ＳＴＥＰ−１）。
【００１４】
この場合における前記ディスプレイ手段での画面表示例は、予め選択された所定の河川における堤防を示す地図上において、その決壊仮想地点を矢印で示すようにクリック指定することができる〔図３の（ａ）参照〕。さらに、選択された河川における各地域に配設された雨量計等の防災センサＳ-1〜Ｓ-5の設置位置が地図上に示される〔図３の（ｂ）参照〕と共に、各防災センサＳ-1〜Ｓ-5による計測値を表示させる〔図３の（ｃ）参照〕ように設定することができる。
【００１５】
また、前記地点入力部１６に入力された堤防決壊仮想地点に基づいて、洪水被害履歴検索部１８において、前述した洪水被害履歴情報蓄積管理部１０と地図情報蓄積管理部１２とにそれぞれ蓄積された洪水被害履歴情報および地図情報とから、指定された地点の周辺地域における過去の洪水被害履歴に関する情報が、演算処理により迅速かつ確実に検索される（ＳＴＥＰ−２）。そして、検索結果が表示部２０に表示される（ＳＴＥＰ−３）。
【００１６】
この場合における前記ディスプレイ手段での画面表示例は、指定された地点の周辺地域における過去の洪水被害履歴に関する情報として、該当地域〔Ａ〕、〔Ｂ〕、〔Ｃ〕が地図上に示される〔図４の（ａ）参照〕。また、この場合に、前記該当地域〔Ａ〕、〔Ｂ〕、〔Ｃ〕のいずれかをクリック指定することにより、該当地域の洪水による浸水エリア〔Ａ′〕（斜線で示す）を地図上に示すと共に、洪水被害の被災データ（発生日時、決壊地点、浸水戸数、被害金額等）を表示させることができる〔図４の（ｂ）参照〕。
【００１７】
次に、前記検索結果に基づいて、堤防決壊の危険性のある地点の判定および予測を行うか否かを選択する（ＳＴＥＰ−４）。前記判定および予測を行わない場合は、そのまま終了する。判定および予測を行う場合は、前記検索結果に基づいて、堤防決壊仮想地点の周辺地域における過去の洪水被害履歴情報の中から、堤防決壊仮想地点周辺の河川堤防高の最低地点や護岸工事状態での危険地点をそれぞれ検索する（ＳＴＥＰ−５）。そして、前記堤防決壊危険性地点判定部２４において、堤防決壊の危険性の高い地点を判定し、その結果を表示部２０に表示することができる（ＳＴＥＰ−６）。
【００１８】
この場合における前記ディスプレイ手段での画面表示例は、例えば図５に示すように、指定された堤防決壊の危険性の高い地点〔Ａ″〕を、地図上において部分的に点滅表示させたり、色替え表示させることにより、警報表示することができる。以上により制御操作を終了させることができる。
【００１９】
本発明に係る防災情報システムによれば、過去の洪水被害履歴に関する情報を蓄積した洪水被害履歴情報蓄積管理部と、指定した河川の周辺地域における洪水の発生の危険性について、過去の洪水被害の履歴を演算処理により検索することにより、洪水被害の表示を行い、防災活動に有効に活用することができる。
【００２０】
さらに、本発明に係る防災情報システムによれば、指定された河川周辺地域における雨量、河川水位、河川水量等の計測値を入力することにより、堤防決壊の危険性のある地点を予測判定することが可能となり、この場合に予測される堤防決壊の危険性のある地点を地図上に表示させることにより、防災活動に活用し得る洪水被害予測をさらに有効なものとすることができる等、多くの優れた利点が得られる。
【００２１】
次に、クライアント−サーバシステムとして構成した本発明の防災情報システムを説明する。このシステムは図６に示されるように、ネットワークであるＬＡＮ１にテレメータシステム２とクライアント３とサーバ４が接続されたシステムである。テレメータシステム２には、各河川（図６にはＡ川のみを表示）の所定位置における水位を検出する水位計や所定位置における雨量を検出する雨量計により構成されるセンサ５−１〜５−ｎが接続されている。テレメータシステム２は、センサ５−１〜５−ｎにより得られた情報をＬＡＮ１を介してサーバ４へ送信する。
【００２２】
クライアント３とサーバ４とは、パーソナルコンピュータやワークステーションにより構成され、クライアント３にはＷｅｂブラウザ３１が備えられており、サーバ４にはＷＷＷサーバ４１、防災情報提供プログラム４２、地図情報データベース４３、洪水履歴データベース４４、洪水予測データベース４５及びデータベース管理部４６が備えられている。
【００２３】
Ｗｅｂブラウザ３１は、ＷＷＷサーバ４１へアクセスしてサーバ４の記憶媒体に記憶された防災情報提供プログラム４２のダウンロードを受けることができる。Ｗｅｂブラウザ３１内に描かれている防災情報提供プログラム４２は、ダウンロードされ記憶媒体に記憶されたものを示しており、地図処理手段３２と表示制御手段３３とを含んでいる。この防災情報提供プログラム４２は、後にフローチャートにより説明する洪水履歴情報の表示処理や洪水予測情報の表示処理を実行する。
【００２４】
上記の地図処理手段３２は、ＷＷＷサーバ４１により提供されるベクタデータによりなる地図情報を処理してイメージ表示可能な情報とするものであり、表示制御手段３３は、イメージ表示可能な情報をＣＲＴ等へ表示する制御を行うものである。
【００２５】
ＷＷＷサーバ４に備えられている地図情報データベース４３には、このシステムにおいて防災情報を引き出すための河川付近の地図情報がベクタデータとして記憶されており、洪水履歴データベース４４には上記河川において過去に発生した洪水の履歴データが記憶されている。この洪水履歴データベース４４の記憶内容の一例を図７に示す。洪水履歴データは、１件の洪水毎にまとめられており、発生日時、経度緯度情報を含む決壊地点の情報、浸水戸数、被害全額、被害の範囲の各情報が記憶されたものである。
【００２６】
洪水予測データベース４５には、上記河川において発生し得る洪水の予測データが記憶されている。この予測データは、過去における履歴データに基づき水位や雨量を増加させた場合に広がる被害予想範囲をシミュレートすると共に、その後に行われた護岸工事等による防災対策を加味して被害予測を計算してデータベース化したもので、センサ５−１〜５−ｎから得られる水位や雨量の観測データが過去のどの洪水に近いかに基づき一連の予測データを取り出し可能となっている。例えば、ある地点でｄミリの降雨量があり、ある位置の水位がｆメートルのときに、これに最も近い過去の洪水履歴データ及びこれに付随する一連の予測データを引き出し可能となっている。
【００２７】
そして、一連の予測データは例えば図８に示されるようである。つまり、現在の雨量と水位とがテレメータシステム２から得られるのに対応し、過去の最も類似した洪水履歴データが右端の表面に描かれたデータとすると、雨量が１ミリ増加する毎の予測データがまとめられ、また水位が１０センチ増加する毎に異なる予測データのファイルとされている。予測データの内容は経度緯度情報を含む決壊地点の情報、浸水戸数、被害全額、被害の範囲の各情報が記憶されたものであり、基本的に洪水履歴データベース４４に記憶されたデータと同じ形態のものである。
【００２８】
上記地図情報データベース４３、洪水履歴データベース４４、洪水予測データベース４５のデータはＵＲＬを用いた指定によってデータベース管理部４６からクライアント３へ提供される。以上のように構成されたクライアント−サーバシステムにあっては、図９から図１２に示されるフローチャートに対応するプログラムにより処理を実行して動作を行うので、これを説明する。
【００２９】
まず、図９に示されるように、クライアント３においてＷｅｂブラウザ３１が起動される（Ｓ１）。そして、Ｗｅｂブラウザ３１を用いてＷＷＷサーバ４１へアクセスし、防災情報提供プログラムを要求する（Ｓ２）。これに対してＷＷＷサーバ４１はＷｅｂブラウザ３１の要求を受け付け、防災情報提供プログラムをダウンロードする（Ｓ１１）。Ｗｅｂブラウザ３１は、ダウンロードされたプログラムに基づき例えば図８に示すような河川選択の画面を表示する（Ｓ３）。
【００３０】
図１３に示されている河川選択の画面において、ボタン５１は洪水履歴選択のボタンであり、ボタン５２は洪水予測選択のボタンであり、Ａ川、Ｂ川、ＣＣＣ川等の表示は河川選択ボタン５３として機能するようにＵＲＬが対応づけられている。ここで、Ａ川がマウスクリックにより選択されると、河川選択の入力有りの待ち状態（Ｓ４）から上記対応のＵＲＬにより該当河川の地図ファイルへジャンプし（Ｓ５）、Ｗｅｂブラウザ３１において例えば図１４に示す如くにＡ川が表示される（Ｓ６）。
【００３１】
上記のときにはデータベース管理部４６は図１０のステップＳ１３において、地図情報データベース４３の該当地図情報提供を行っている（Ｓ１３）。一方、図９のフローチャートにおける履歴と予測のボタン５１、５２の操作待ち状態において（Ｓ７）、履歴のボタン５１がマウスクリックされると図１１のフローチャートに示される履歴情報表示処理へ進み、予測のボタン５２がマウスクリックされると図１２のフローチャートに示される予測情報表示処理へ進む。
【００３２】
図９のフローチャートのステップＳ７において、履歴情報表示処理へ進んだ場合には、地図処理手段３２により地点指示のマウスクリックがなされるのを待ち受ける（図１１のＳ２１）。この待ち受け状態において例えば、図１４の「Ｘ」マークの位置においてマウスクリックがなされると、この画面におけるマウスクリック位置の座標情報に基づき、地図処理手段３２は対応する位置情報（緯度経度）を求めると共に、例えばこの地点における川幅を地図情報から求めてサーバ４へ履歴情報か予測情報の表示処理の区分情報と共に送出する（Ｓ２２）。上記において川幅を地図情報から求めるために、地図情報として川縁の各位置における川幅情報が含まれており、上記のような図１４の「Ｘ」マークの位置においてマウスクリックがなされると、この座標情報から上記の川幅情報を用いて当該位置に対応する川幅を求めることができる。
【００３３】
データベース管理部４６では図１０のフローチャートに示されるように、上記の図１４の「Ｘ」マークの位置に対応する位置情報を受け取り（Ｓ１４）、履歴情報か予測情報の表示処理の区分情報に基づき、いずれが行われているかを検出する（Ｓ１５）。このステップＳ１５において履歴情報の表示処理が行われていることが検出された場合には、指示地点に関して、川幅の情報を考慮して当該川幅の所定倍の範囲において生じた過去の洪水のデータを洪水履歴データベース４４から求めて全てを送出する（Ｓ１６）。
【００３４】
このデータはＷｅｂブラウザ３の防災情報提供プログラム４２において受け取られて（図１１のステップＳ２３）、１件毎の洪水履歴情報とされて図１５に示されるようにＡ川の地図上にポップアップウインドウＷとして表示される（Ｓ２４）。このとき、表示制御手段３３は、先の指示地点（「Ｘ」マークの位置）に最も近い地点において発生した１件の洪水の履歴情報を最初に表示し、次候補の要求がなされる毎に（Ｓ２５）、次に近い地点において発生した１件の洪水の履歴情報を表示する。このようにして、次候補が無くなったときには最初の表示へ戻り表示を続ける（Ｓ２４）。
【００３５】
なお、上記のような距離の近い順による表示ではなく、浸水戸数が多い洪水の順に表示を行っても良い。つまり、最も浸水戸数が多い１件の洪水の履歴情報を最初に表示し、次候補の要求がなされる毎に（Ｓ２５）、次に浸水戸数が多い１件の洪水の履歴情報を表示する。このようにして、次候補が無くなったときには最初の表示へ戻り表示を続ける（Ｓ２４）。上記のいずれによる表示を行うかについては、システムにより予め行うようにするか、或いは、両方のプログラムをＷＷＷサーバ４に用意して、Ｗｅｂブラウザ３１による要求時に選択するようにして良い。
【００３６】
ポップアップウインドウＷには、「エリア表示」のボタンが表示され、このボタンに対するマウスクリックが検出されている（Ｓ２６）。このボタンに対しマウスクリックがなされたことを検出すると、図７に示されるように浸水範囲のベクタデータが与えられているので、地図処理手段３２はこれに基づき浸水範囲の画像Ｆを作成してＡ川の所要位置に重ねて図１６に示されるように表示する（Ｓ２７）。
【００３７】
また、浸水範囲の画像Ｆを地図上に表示した場合（Ｓ２７）にあっては、ボタン５４に対するマウスクリックにより表示を元に戻すかに関して検出が行われ（Ｓ２８）、このボタン５４に対するマウスクリックが行われると、図１６の如きエリア表示の画面から図１５に示されるような履歴情報を文字表示する画面へと戻り（Ｓ２９）、以下ステップＳ２５以降の処理が行われる。
【００３８】
以上のようにして、所望の河川の地図をサーバ４から引き出し表示して、その河川の所望位置をマウスクリックするだけで、クリックした位置から所定距離範囲において過去に生じた洪水の履歴情報を表示させることができ、極めて効率良く履歴情報を得て防災に利用することができる。なお上記において、いずれの表示状態においても「戻る」ボタンによりその前の表示状態に戻り、「終了」によりＷｅｂブラウザ３１による処理を終了することができる。
【００３９】
図９におけるステップＳ７において、図１２のフローチャートにより示す予測情報表示処理へ進んだ場合には、地図処理手段３２により地点指示のマウスクリックがなされるのを待ち受ける（図１２のＳ３１）。この待ち受け状態において例えば、図１４の「Ｘ」マークの位置においてマウスクリックがなされると、この画面におけるマウスクリック位置の座標情報に基づき、地図処理手段３２は対応する位置情報（緯度経度）を求めると共に、例えばこの地点における川幅を地図情報から求めてサーバ４へ履歴情報か予測情報の表示処理の区分情報と共に送出する（Ｓ３２）。上記において川幅を地図情報から求めるために、地図情報として川縁の各位置における川幅情報が含まれており、上記のような図１４の「Ｘ」マークの位置においてマウスクリックがなされると、この座標情報から上記の川幅情報を用いて当該位置に対応する川幅を求めることができる。
【００４０】
データベース管理部４６では図１０のフローチャートに示されるように、上記の図１４の「Ｘ」マークの位置に対応する位置情報を受け取り（Ｓ１４）、履歴情報か予測情報の表示処理の区分情報に基づき、いずれが行われているかを検出する（Ｓ１５）。このステップＳ１５において予測情報の表示処理が行われていることが検出された場合には、指示地点に関して、川幅の情報を考慮して当該川幅の所定倍の範囲において生じる予測データを洪水予測データベース４５から求めて全てを送出する（Ｓ１７）。
【００４１】
つまり、現在の雨量と水位とがテレメータシステム２から得られるので、この雨量と水位とのデータを用いて過去の最も類似した洪水履歴データを含む一連の予測データのファイル群が図８に示されるように記憶されているものを検索し、係る予測データのファイル群を得ることができる。これらの一連の予測データのファイル群がクライアント３へ送られる。
【００４２】
このデータはＷｅｂブラウザ３の防災情報提供プログラム４２において受け取られて（図１２のステップＳ３３）、予測データのファイル群が１件毎の洪水予測情報とされて図１７に示されるようにＡ川の地図上にポップアップウインドウＷに表示される（Ｓ３４）。このとき、表示制御手段３３は、先の指示地点（「Ｘ」マークの位置）に最も近い地点において発生した１件の洪水の予測情報を最初に表示する。このとき、現在（この状態）の水位と雨量がウインドウＤに表示され、これら表示された水位と雨量は夫々１０センチと１ミリずつアップ／ダウン可能である。このウインドウＤに対してアップ／ダウンの操作がなされ、或いは次候補の要求がなされる毎に（Ｓ３５）、アップ／ダウンされた水位と雨量に対応する１件の洪水の予測情報または次に近い地点において発生する１件の洪水の予測情報を表示する（Ｓ３４）。このようにして、次候補のファイルが無くなったときには最初の表示へ戻り表示を続ける（Ｓ３４）。
【００４３】
なお、上記のような距離の近い順による表示ではなく、浸水戸数が多い洪水の順に表示を行っても良いことは履歴情報の表示の場合と同様である。つまり、最も浸水戸数が多い１件の洪水の予測情報を最初に表示し、次候補の要求がなされる毎に（Ｓ３５）、次に浸水戸数が多い１件の洪水の予測情報を表示する。このようにして、次候補が無くなったときには最初の表示へ戻り表示を続ける（Ｓ３４）。上記のいずれによる表示を行うかについては、システムにより予め行うようにするか、或いは、両方のプログラムをＷＷＷサーバ４に用意して、Ｗｅｂブラウザ３１による要求時に選択するようにして良い。なお、距離により或いは浸水戸数により次候補が表示がされた場合において、水位と雨量は夫々１０センチと１ミリずつアップ／ダウン可能であり、これらの値を変更して予測情報を表示することができる。
【００４４】
上記の文字表示においてポップアップウインドウＷには、「エリア表示」のボタンが表示され、このボタンに対するマウスクリックが検出されている（Ｓ３６）。このボタンに対しマウスクリックがなされたことを検出すると、図８に示される浸水範囲のベクタデータが与えられているので、地図処理手段３２はこれに基づき浸水範囲の画像Ｆを作成してＡ川の所要位置に重ねて図１８に示されるように表示する（Ｓ３７）。
【００４５】
また、浸水範囲の画像Ｆを地図上に表示した場合（Ｓ３７）にあっては、ボタン５４に対するマウスクリックにより表示を元に戻すかに関して検出が行われ（Ｓ３８）、このボタン５４に対するマウスクリックが行われると、図１８の如きエリア表示の画面から図１７に示されるような予測情報を文字表示する画面へと戻り（Ｓ３９）、以下ステップＳ３５以降の処理が行われる。
【００４６】
以上のようにして、所望の河川の地図をサーバ４から引き出し表示して、その河川の所望位置をマウスクリックするだけで、クリックした位置から所定距離範囲において生じる洪水の予測情報を表示させることができ、極めて効率良く予測情報を得て防災に利用することができる。なお上記において、いずれの表示状態においても「戻る」ボタンによりその前の表示状態に戻り、「終了」によりＷｅｂブラウザ３１による処理を終了することができる。
【００４７】
【発明の効果】
以上説明したように本発明によれば、河川における過去の洪水情報が記憶された洪水履歴（予測）データベースを備え、上記河川を含む地図情報に基づいて地図画像を画面上に表示して、表示された地図画像上における所望地点の指定を受けると、当該指定された地点から所定距離範囲の地点に関する洪水情報を上記洪水履歴（予測）データベースから求めて、この求められた洪水情報に基づく表示を上記画面上に行うので、所望地点の指示を行うだけで、過去の洪水被害や予測される洪水被害の表示が行われ、防災活動に有効に活用することができる効果がある。
【図面の簡単な説明】
【図１】本発明に係る防災情報システムのシステム構成の一実施例を示す概略ブロック結線図。
【図２】本発明に係る防災情報システムの基本的な制御操作プログラムを示すフローチャート。
【図３】（ａ）〜（ｃ）は、図２に示す制御操作プログラムにおいて堤防決壊仮想地点の指定に際し、ディスプレイ手段により表示される地図情報および観測データの表示例を示す説明図。
【図４】（ａ）および（ｂ）は、図２に示す制御操作プログラムにおいて過去の洪水被害履歴情報として検索され、ディスプレイ手段により表示される地図情報および被災データの表示例を示す説明図。
【図５】図２に示す制御操作プログラムにおいて堤防決壊の危険性の高い地点として判定ないし予測され、ディスプレイ手段により表示される地図情報の表示例を示す説明図。
【図６】クライアント−サーバシステムとして構成した本発明に係る防災情報システムの構成図。
【図７】洪水履歴データベース４４の記憶内容の一例を示す図。
【図８】洪水予測データベース４５の記憶内容の一例を示す図。
【図９】クライアント−サーバシステムとして構成した本発明に係る防災情報システムにおけるクライアントの動作を説明するためのフローチャート。
【図１０】クライアント−サーバシステムとして構成した本発明に係る防災情報システムにおけるサーバの動作を説明するためのフローチャート。
【図１１】クライアント−サーバシステムとして構成した本発明に係る防災情報システムにおけるクライアントの動作を説明するためのフローチャート。
【図１２】クライアント−サーバシステムとして構成した本発明に係る防災情報システムにおけるクライアントの動作を説明するためのフローチャート。
【図１３】クライアント−サーバシステムとして構成した本発明に係る防災情報システムにおいてクライアントにて表示される河川選択用の表示画面の例を示す図。
【図１４】クライアント−サーバシステムとして構成した本発明に係る防災情報システムにおいてクライアントにて表示される河川選択後に該当河川が表示された画面の例を示す図。
【図１５】クライアント−サーバシステムとして構成した本発明に係る防災情報システムにおいてクライアントにて表示される河川選択後に所定位置の洪水履歴情報が文字表示された画面の例を示す図。
【図１６】クライアント−サーバシステムとして構成した本発明に係る防災情報システムにおいてクライアントにて表示される河川選択後に所定位置の洪水履歴情報が画像表示された画面の例を示す図。
【図１７】クライアント−サーバシステムとして構成した本発明に係る防災情報システムにおいてクライアントにて表示される河川選択後に所定位置の洪水予測情報が文字表示された画面の例を示す図。
【図１８】クライアント−サーバシステムとして構成した本発明に係る防災情報システムにおいてクライアントにて表示される河川選択後に所定位置の洪水予測情報が画像表示された画面の例を示す図。
【符号の説明】
１  ＬＡＮ
２  テレメータシステム
３  クライアント
４  サーバ
５−１〜５−ｎ  センサ
１０  洪水被害履歴情報蓄積管理部
１２  地図情報蓄積管理部
１４  マウス等の手動入力手段
１６  地点入力部
１８  洪水被害履歴検索部
２０  表示部
２２  雨量等計測値入力部
２４  堤防決壊危険性地点判定部
３１  Ｗｅｂブラウザ
３２  地図処理手段
３３  表示制御手段
４１  ＷＷＷサーバ
４２  防災情報提供プログラム
４３  地図情報データベース
４４  洪水履歴データベース
４５  洪水予測データベース
【図１】
0003958026.tif 000002
【図２】
0003958026.tif 000003
【図３】
0003958026.tif 000004
【図４】
0003958026.tif 000005
【図５】
0003958026.tif 000006
【図６】
0003958026.tif 000007
【図７】
0003958026.tif 000008
【図８】
0003958026.tif 000009
【図９】
0003958026.tif 000010
【図１０】
0003958026.tif 000011
【図１１】
0003958026.tif 000012
【図１２】
0003958026.tif 000013
【図１３】
0003958026.tif 000014
【図１４】
0003958026.tif 000015
【図１５】
0003958026.tif 000016
【図１６】
0003958026.tif 000017
【図１７】
0003958026.tif 000018
【図１８】
0003958026.tif 000019